(57)【要約】【課題】  本発明はアロマセラピー効果の香り放出する容器であって、浴槽の循環する浴水に接続し、或いは、居室空間の空気の循環経路に接続することによって香りの量、種類等を制御でき、しかも香りを長く維持でき、リラクゼーション効果を演出する容器を提供できたものである。【解決手段】  流体の吸入口と送出口を備え、内部に任意の香料を充填する中空室を備えた容器からなり、前記吸入口には第１弁（逆止弁）を、送出口には第２弁（逆止弁）を連設したことを特徴とするアロマセラピー効果の香り放出する容器であり、中空室にマイナスイオンを発生するセラミック材と香料を一体としたカ−トリッジが収容された。容器１０、中空室１１、受部１２、蓋部１３、吸入口１６、送出口１７、第１弁１８、第２弁１９、開閉弁２２、２３。【選択図】  図３ 
2005224464.tif 000002
【特許請求の範囲】
【請求項１】
流体の吸入口と送出口を備え、内部に任意の香料を充填する中空室を備えた容器からなり、前記吸入口には第１弁を、送出口には第２弁を連設したことを特徴とするアロマセラピー効果の香り放出する容器。
【請求項２】
第１弁が容器内部の流体が容器外へ逃出するのを防ぐ逆止弁である請求項１記載のアロマセラピー効果の香り放出する容器。
【請求項３】
第２弁が容器外からの流体の侵入を防ぐ逆止弁である請求項１記載のアロマセラピー効果の香り放出する容器。
【請求項４】
第１弁及び第２弁が開閉弁である請求項１記載のアロマセラピー効果の香り放出する容器。
【請求項５】
中空室にマイナスイオンを発生するセラミック材が収容された請求項１記載のアロマセラピー効果の香り放出する容器。
【請求項６】
中空室内面にマイナスイオンを発生するセラミック材が塗布された請求項１記載のアロマセラピー効果の香り放出する容器。
【請求項７】
セラミック材が角閃石の粉体又は粒体である請求項５又は６記載のアロマセラピー効果の香り放出する容器。
【請求項８】
中空室にマイナスイオンを発生するセラミック材と香料を一体としたカ−トリッジが収容された請求項５記載のアロマセラピー効果の香り放出する容器。
【請求項９】
中空室が複数備えられた請求項１記載のアロマセラピー効果の香り放出する容器。
【請求項１０】
各中空室より別々に或いは一緒に流体が送出口に送られる切替弁を備えた請求項８記載のアロマセラピー効果の香り放出する容器。
【請求項１１】
流体が浴槽を循環する浴水である請求項１記載のアロマセラピー効果の香り放出する容器。
【請求項１２】
流体が居室空間内を循環する空気である請求項１記載のアロマセラピー効果の香り放出する容器。
【発明の詳細な説明】
【技術分野】
【０００１】
本発明は、浴水中或いは居室空間にアロマテラピー作用のある香りを必要により放出する容器に関するものである。
【背景技術】
【０００２】
従来より、アロマセラピー効果の香りを発生する芳香容器は多数提案され、実際に販売に供されている。これらは、一般には大気開放型であり、居室空間に香りを放出することが主流である。このような大気開放型の容器は香りを常時放出し、このため、高価な香料が常時消費され、時間の経過により消耗されてしまう欠点がある。
【０００３】
しかも、香りは趣向であり個々人によりその要求は異なるものであるにもかかわらず、常時香りが発生することで逆に人に不快感を与えることになる場合もある。
【発明の開示】
【発明が解決しようとする課題】
【０００４】
本発明の容器は、上記のような従来の技術に鑑みてなされたものであり、浴水中或いは居室空間にアロマテラピー作用のある香りを必要により放出することのできる容器を提案するものである。
【課題を解決するための手段】
【０００５】
本発明の要旨は、流体の吸入口と送出口を備え、内部に任意の香料を充填する中空室を備えた容器からなり、前記吸入口には第１弁を、送出口には第２弁を連設したことを特徴とするアロマセラピー効果の香り放出する容器にかかるものである。
【０００６】
好ましくは、前記第１弁が容器内部の流体が容器外へ逃出するのを防ぐ逆止弁であり、第２弁が容器外からの流体の侵入を防ぐ逆止弁である。
【０００７】
そして又、前記第１弁及び第２弁が任意の開閉弁であるのもよい。
【発明の効果】
【０００８】
本発明は以上の構成を有するアロマセラピー効果の香り放出する容器であって、浴槽の循環する浴水に接続し、或いは、居室空間の空気の循環経路に接続することによって香りの量、種類等を制御でき、しかも香りを長く維持でき、リラクゼーション効果を演出する容器を提供できたものである。
【発明を実施するための最良の形態】
【０００９】
ここでは、最も好ましい例として浴槽の浴水の経路にこれを採用した例をもって更に説明する。さて、通常のジェットバスにあって、浴槽中の浴水をポンプにて循環するものであり、その途中で加速された浴水のエジェクタ−効果（流体引き込み効果）により外部の空気を巻き込み、これを浴水と共に急激に浴槽内に噴射するものである。勿論、空気の供給は別に備えたポンプによってなされることができることは言うまでもない。
【００１０】
本発明の容器は、かかるエジェクタ−につながるパイプに設置されるのが通例であり、吸入口がパイプに、送出口が浴室側に向けて設置されることになる。
【００１１】
従って、外部の空気が第１弁から吸い込まれ、香りを含んだ状態で第２弁から浴槽中に放出されることになる。そして、第２弁は浴槽中の浴水が容器内に入り込まないように逆止弁となっているのが好ましく、第１弁は容器内の香りが逃げないように容器側の空気に対して逆止弁となっているのがよい。尚、空気を吸い込む第１弁は容器の蓋側にあっても底側にあってもよく、空気が流れる方向は自由である。
【００１２】
本発明の容器について言えば、香料が充填される開放可能で密閉式の中空室と、この中空室に空気が入り込む吸入口と、中空室より空気が送り出される送出口とからなり、この両口に夫々弁（前記の第１及び第２の弁）備えられるものである。かかる弁は手動又は電動にて開閉する弁であったり、これと共に或いはこれとは独立した前記の如き逆止弁であったりするものである。前者の場合には、香料の送出を制御できるものであり、後者の場合には、浴水により香料の無駄な消費を制御できるものである。
【００１３】
尚、中空室に充填される香料は通常は液体又は固体であり、通過する空気と共に送出口より浴槽内に導かれる。この際、場合によっては、中空室内に角閃石にて代表されるマイナスイオンを発生するセラミック体が塗布又は充填されており、好ましくは、セラミック体が粉体又は粉粒体であり、香料と共に一体化されて取り替え可能にカ−トリッジ化されているのが更に好ましい。
【００１４】
勿論、容器における中空室は一つとは限らないものであり、複数の中空室が備えられ、夫々別々の香料等が充填され、これらが別々或いは混合して送出口から放出されることも可能である。この場合には、夫々の中空室には夫々切替弁が備えられることになる。
【実施例】
【００１５】
以下、実施例をもって更に詳細に説明する。
図１は浴槽全体を示す概念図であり、図２はエジェクタ−及び本発明の容器の関係を示す概念図である。１は浴槽、２は浴水の取出口、３はポンプ、４はエジェクタ−、５は浴水の吹出装置、６は吹出口、１０は本発明の容器である。
【００１６】
エジェクタ−４は外部の空気を引き込むために外部に通じるパイプ７が連結されており、容器１０はエジェクタ−４に連設され、更にパイプ７につながれている。尚、ここに示す吹出装置５やエジェクタ−４は単なる例示に過ぎないことは言うまでもない。図中、８は空気の取り込みを制御する開閉弁を示す。
【００１７】
図３は本発明の容器１０の第１例の断面図である。この例は空気が容器の蓋側より吸い込まれ、底側より送出される例であって、容器１０は中空室１１をもつ受部１２と、蓋部１３とよりなっており、この例では両者は図示しないＯ−リングを介して水密にねじ１５をもって螺着一体化されるようになっている。中空室１１は香料を充填する部位であり、中空室１１に通じる吸入口１６と送出口１７を備えている。この吸入口１６と送出口１７の設置位置は任意であるが、この例では吸入口１６は蓋部１３に、送出口１７は受部１２に形成してある。
【００１８】
そして、吸入口１６の中空室１１内には第１弁１８が、送出口１７の中空室１１内には第２弁１９が備えられている。この図例にあっては、これらの弁１８、１９は逆止弁であり、いずれもフラップ２０、２１により第１弁１８からは中空室１１内の空気がパイプ７側に逃出するのを阻止し、第２弁１９からは中空室１１内への浴水の侵入を阻止する構造となっている。尚、図例にあっては、夫々の吸入口１６及び送出口１７に手動或いは自動の開閉弁２２、２３を備えることも可能であり、この開閉弁２２、２３のみを備えるものであってもよい。
【００１９】
図にあって、中空室１１内にはマイナスイオンを発生する角閃石の粉粒体と香料を混合し、多泡状に固形化したカ−トリッジ２４が充填されている。
【００２０】
上記のような構成の浴槽１にあって、ポンプ３にて浴水を循環させると、浴槽１内の水はポンプ３の稼動により取出口２より循環回路中に取り出され、エジェクタ−４にて空気を巻き込み、混合状態で吹出口６より浴槽１内にジェット噴射されることになる。この際、エジェクタ−４には本発明の容器１０が装着されているため、外部の空気が取り入れられると同時に香料もその空気中に気散し、外部に同時に放出されることとなり、所期の効果を奏することになる。勿論、逆止弁１８、１９によって香料が無駄に消費されてしまうこともなく、又、開閉弁２２、２３を作動させることによって香料の供給を中止することも可能である。
【００２１】
更には、中空室１１を複数にしておけば、充填された香料の選択も可能となる。図４は本発明の容器１０の第２例を示す部分図であり、この例にあっては、中空室１１を二つに区切った（１１Ａ、１１Ｂ）例である。この場合には両室１１Ａ、１１Ｂに別のカ−トリッジを充填しておくことができ、三又切替弁２５によって放出される香料を変えることが可能である。
【００２２】
図５は本発明の容器１０の第３例の断面図である。この例は空気が容器の底側より吸い込まれ、蓋側より送出される例であって、容器１０は中空室１１をもつ受部１２と、蓋部１３とよりなっており、この例では両者は図示しないＯ−リングを介して水密にねじ１５をもって螺着一体化されるようになっている。中空室１１は香料を充填する部位であり、底側に中空室１１に通じる吸入口１６と蓋部１３に送出口１７を備えている。
【００２３】
そして、吸入口１６の中空室１１内には第１弁１８が、送出口１７の中空室１１内には第２弁１９が備えられている。この図例にあっては、これらの弁１８、１９は逆止弁であり、いずれもボ−ル２０、２１により第１弁１８からは中空室１１内の空気がパイプ７側に逃出するのを阻止し、第２弁１９からは中空室１１内への浴水の侵入を阻止する構造となっている。尚、図例にあっては、夫々の吸入口１６及び送出口１７に手動或いは自動の開閉弁２２、２３を備えることも可能であり、この開閉弁２２、２３のみを備えるものであってもよい。
【００２４】
図にあって、中空室１１内にはマイナスイオンを発生する角閃石の粉粒体と香料を混合し、多泡状に固形化したカ−トリッジ２４が充填されている。
【００２５】
そして、エジェクタ−４にて送出口１７より空気を吸い上げ、混合状態で吹出口６より浴槽１内にジェット噴射されることになる。尚、図示はしないが別置きのポンプ等を用い、空気をパイプ７より強制的に送り込むことができることは言うまでもない。
【００２６】
尚、図例にあって、第１弁１８と第２弁１９とが一直線上に並んでいるが、左右に或いは上下にオフセット配置するのもよい手段である。
【産業上の利用可能性】
【００２７】
以上のように、本発明による容器は簡単な構造で従来の欠点を改良したものであり、上記したように浴槽に設置するだけでなく、居室空間へも適用可能であり、その利用性は極めて広いものとなった。
【図面の簡単な説明】
【００２８】
【図１】図１は浴槽全体を示す概念図である。
【図２】図２はエジェクタ−及び本発明の容器の関係を示す概念図である。
【図３】図３は本発明の容器の第１例の断面図である。
【図４】図４は本発明の容器の第２例を示す部分図である。
【図５】図５は本発明の容器の第３例を示す部分図である。
【符号の説明】
【００２９】
１‥浴槽、
２‥浴水の取出口、
３‥ポンプ、
４‥エジェクタ−、
５‥吹出装置、
６‥浴水の吹出口、
７‥空気取入パイプ、
８‥空気取入弁、
１０‥容器、
１１、１１Ａ、１１Ｂ‥中空室、
１２‥受部、
１３‥蓋部、
１５‥ねじ、
１６‥吸入口、
１７‥送出口、
１８‥第１弁（逆止弁）、
１９‥第２弁（逆止弁）、
２０、２１‥フラップ、ボ−ル、
２２、２３‥開閉弁、
２４‥カ−トリッジ、
２５‥切替弁。
【図１】
2005224464.tif 000003
【図２】
2005224464.tif 000004
【図３】
2005224464.tif 000005
【図４】
2005224464.tif 000006
【図５】
2005224464.tif 000007